(57)【要約】【課題】利用者の目的階が他の利用者に知られてしまうことをより確実に防止することができるエレベーターを得る。【解決手段】複数の利用者のそれぞれに所持され、所持する利用者に対してかご１の位置が降車階であること報知する複数の携帯端末装置１０と、それぞれの携帯端末装置に対応する特定情報が入力され、入力された特定情報に対応する目的階にかご１を移動させるかご制御部５１とを備え、かご制御部５１は、かご制御部５１に入力された複数の特定情報のそれぞれに対応する目的階が同一である場合に、目的階とは異なる複数の階を複数の特定情報のそれぞれに対応する降車階としてかご１を順に移動させ、複数の携帯端末装置１０のそれぞれは、対応する降車階にかご１が到着する場合に、かご１の位置が降車階である旨を報知する。【選択図】図２
2018127292.tif 000002
【特許請求の範囲】
【請求項１】
複数の利用者のそれぞれに所持され、所持する前記利用者に対してかごの位置が降車階であること報知する複数の携帯端末装置と、
それぞれの前記携帯端末装置に対応する特定情報が入力され、入力された前記特定情報に対応する目的階に前記かごを移動させるかご制御部と
を備え、
前記かご制御部は、前記かご制御部に入力された複数の前記特定情報のそれぞれに対応する目的階が同一である場合に、目的階とは異なる複数の階を複数の前記特定情報のそれぞれに対応する降車階として前記かごを順に移動させ、
複数の前記携帯端末装置のそれぞれは、対応する降車階に前記かごが到着する場合に、前記かごの位置が降車階である旨を報知するエレベーター。
【請求項２】
前記携帯端末装置は、降車階が目的階と異なる場合に、降車階が目的階とは異なる旨を報知する請求項１に記載のエレベーター。
【請求項３】
他の利用者と同一階で降車することを拒否することを示す同一階降車拒否情報がそれぞれの前記特定情報に対応して前記かご制御部に入力可能となっており、
前記かご制御部は、前記かご制御部に入力された複数の前記特定情報のそれぞれに対応する目的階が同一である場合であって、複数の前記特定情報の中の一部に対応して前記同一階降車拒否情報が前記かご制御部に入力された場合に、先に目的階に前記かごを移動させ、その後、目的階とは異なる階に前記かごを移動させる請求項１または請求項２に記載のエレベーター。
【請求項４】
前記かご制御部は、前記かご制御部に入力された複数の前記特定情報のそれぞれに対応する目的階が同一である場合であって、複数の前記特定情報の中の全てに対応して前記同一階降車拒否情報が前記かご制御部に入力されなかった場合に、目的階に前記かごを移動させる請求項３に記載のエレベーター。
【請求項５】
前記かごに設けられ、目的階を表示する目的階表示部と、
前記目的階表示部の表示を制御する報知制御部と
をさらに備え、
前記報知制御部は、複数の前記特定情報が前記かご制御部に入力された場合に、前記目的階表示部における目的階の表示を停止する請求項１から請求項４までの何れか一項に記載のエレベーター。
【発明の詳細な説明】
【技術分野】
【０００１】
この発明は、かごが昇降路を昇降するエレベーターに関する。
【背景技術】
【０００２】
従来、表示部を有し、利用者に所持される携帯端末装置と、目的階にかごを移動させるかご制御部とを備え、携帯端末装置の表示部は、かごが目的階に到着する場合に、かごの位置を表示するエレベーターが知られている。これにより、利用者の目的階が、他の利用者に知られてしまうことが抑制される（例えば、特許文献１参照）。
【先行技術文献】
【特許文献】
【０００３】
【特許文献１】特開２００２−３２６７７５号公報
【発明の概要】
【発明が解決しようとする課題】
【０００４】
しかしながら、複数の利用者のそれぞれの目的階が同一である場合には、目的階が同一である複数の利用者の中で、利用者の目的階が他の利用者に知られてしまうという課題があった。
【０００５】
この発明は、利用者の目的階が他の利用者に知られてしまうことをより確実に防止することができるエレベーターを提供するものである。
【課題を解決するための手段】
【０００６】
この発明に係るエレベーターは、複数の利用者のそれぞれに所持され、所持する利用者に対してかごの位置が降車階であること報知する複数の携帯端末装置と、それぞれの携帯端末装置に対応する特定情報が入力され、入力された特定情報に対応する目的階にかごを移動させるかご制御部とを備え、かご制御部は、かご制御部に入力された複数の特定情報のそれぞれに対応する目的階が同一である場合に、目的階とは異なる複数の階を複数の特定情報のそれぞれに対応する降車階としてかごを順に移動させ、複数の携帯端末装置のそれぞれは、対応する降車階にかごが到着する場合に、かごの位置が降車階である旨を報知する。
【発明の効果】
【０００７】
この発明に係るエレベーターによれば、かご制御部に入力された複数の特定情報のそれぞれに対応する目的階が同一である場合に、目的階とは異なる複数の階を複数の特定情報のそれぞれに対応する降車階としてかごを順に移動させ、複数の携帯端末装置のそれぞれは、対応する降車階にかごが到着する場合に、かごの位置が降車階である旨を報知するので、利用者の目的階が他の利用者に知られてしまうことをより確実に防止することができる。
【図面の簡単な説明】
【０００８】
【図１】この発明の実施の形態１に係るエレベーターを示す構成図である。
【図２】図１のエレベーターを示すブロック図である。
【図３】図２の記憶部に記憶されている特定情報を示す図である。
【図４】図１のエレベーターの動作を示すフローチャートである。
【図５】図４の第１目的階移動工程を示すフローチャートである。
【図６】図４の第１目的階外移動工程を示すフローチャートである。
【図７】図４の第２目的階外移動工程を示すフローチャートである。
【図８】図４の第２目的階移動工程を示すフローチャートである。
【図９】図１のエレベーターの動作を示すフローチャートである。
【図１０】図９の第３目的階移動工程を示すフローチャートである。
【図１１】図９の第３目的階外移動工程を示すフローチャートである。
【図１２】図９の第４目的階移動工程を示すフローチャートである。
【発明を実施するための形態】
【０００９】
実施の形態１．
図１はこの発明の実施の形態１に係るエレベーターを示す構成図である。図において、エレベーターは、昇降路を昇降するかご１と、昇降路に設けられ、かご１の移動方向に対して反対方向に昇降するつり合いおもり２と、一端部がかご１に接続され、他端部がつり合いおもり２に接続されたロープ３と、ロープ３が巻き掛けられ、ロープ３を移動させる巻上機４と、巻上機４の駆動を制御するエレベーター制御盤５とを備えている。巻上機４が駆動することによって、かご１およびつり合いおもり２が互いに反対方向に昇降する。
【００１０】
また、エレベーターは、各階の乗場に設けられ、乗場にいる利用者に操作される乗場釦６と、各階の乗場に設けられ、かご１の位置を表示する乗場表示装置７と、かご１に設けられ、かご１に乗った利用者に操作されるかご操作装置８と、かご１に設けられ、かご１の位置を表示するかご位置表示装置９とを備えている。
【００１１】
また、エレベーターは、複数の利用者のそれぞれに所持される複数の携帯端末装置１０と、基準階である１階の乗場に設けられ、携帯端末装置１０との間で無線通信を行う無線通信装置１１とをさらに備えている。無線通信装置１１は、エレベーター制御盤５と電気的に接続されている。携帯端末装置１０は、無線通信装置１１を介して、エレベーター制御盤５と通信可能となっている。なお、この例では、基準階を１階として説明するが、これに限らず、基準階はその他の階であってもよい。
【００１２】
図２は図１のエレベーターを示すブロック図である。かご操作装置８は、かご１に乗った利用者に操作される複数の目的階釦８１と、目的階を表示する目的階表示部８２とを有している。図２では、１つの目的階釦８１を示しているが、かご操作装置８は、複数の目的階釦８１を有している。
【００１３】
携帯端末装置１０は、携帯端末装置１０に対応する特定情報を出力する特定情報出力部１０１と、携帯端末装置１０を所持する利用者に対してかご１の位置が降車階であることを報知する携帯端末報知部１０２とを有している。携帯端末報知部１０２としては、携帯端末装置１０を所持する利用者に対してかご１の位置が降車階であることを表示する表示装置、振動することによって、携帯端末装置１０を所持する利用者に対してかご１の位置が降車階であること報知する振動装置などが挙げられる。
【００１４】
エレベーター制御盤５は、目的階にかご１を移動させるかご制御部５１と、かご位置表示装置９、乗場表示装置７および目的階表示部８２のそれぞれの表示を制御し、かつ、携帯端末報知部１０２の報知を制御する報知制御部５２と、複数の携帯端末装置１０のそれぞれの特定情報を記憶する記憶部５３とを有している。
【００１５】
かご制御部５１は、乗場釦６が操作されると、操作された乗場釦６が設けられた階を目的階とする乗場呼びを登録する。複数の目的階釦８１のそれぞれは、各階に対応している。かご制御部５１は、目的階釦８１が操作されると、操作された目的階釦８１に対応する階を目的階とするかご呼びを登録する。
【００１６】
目的階表示部８２は、複数の目的階釦８１のそれぞれの背面に設けられた照明装置から構成されている。目的階釦８１が操作されると、操作された目的階釦８１の背面に設けられた目的階表示部８２が点灯する。目的階表示部８２が点灯することによって、目的階が表示される。なお、目的階表示部８２は、これに限らず、例えば、目的階を表示するモニタであってもよい。
【００１７】
図３は図２の記憶部５３に記憶されている特定情報を示す図である。記憶部５３には、それぞれの特定情報に対して、携帯端末装置１０を所持する利用者の名前である利用者名と、その利用者の居住階である目的階を示す情報と、同一階降車拒否情報の有無とが対応して記憶されている。同一階降車拒否情報とは、かご制御部５１に複数の特定情報が入力された場合であって、かご制御部５１に入力された複数の特定情報のそれぞれに対応する目的階が同一である場合に、同一階で降車することを拒否することを示す情報である。言い換えれば、同一階降車拒否情報とは、利用者が他の利用者と同一階で降車することを拒否することを示す情報である。なお、同一階降車拒否情報は、携帯端末装置１０から入力されてもよい。この場合、携帯端末装置１０を所持する利用者がかご１に乗った後に、携帯端末装置１０を操作して、同一階降車拒否情報の有無を変更することができる。
【００１８】
次に、エレベーターの動作について説明する。まず、携帯端末装置１０を所持する第１所持者と、携帯端末装置１０を所持する第２所持者とが基準階である１階において乗車した場合におけるエレベーターの動作について説明する。図４は図１のエレベーターの動作を示すフローチャートである。
【００１９】
まず、ステップＳ１０１において、２つの携帯端末装置１０のそれぞれから、かご制御部５１に対してそれぞれの特定情報が入力される。かご制御部５１に特定情報が入力されると、報知制御部５２は、かご位置表示装置９、乗場表示装置７および目的階表示部８２の表示を停止する。
【００２０】
その後、ステップＳ１０２において、かご制御部５１は、入力された特定情報と記憶部５３に記憶されている情報とを用いて、第１所持者の目的階と第２所持者の目的階とが同一であるか否かを判定する。
【００２１】
ステップＳ１０２において、第１所持者の目的階と第２所持者の目的階とが同一であると判定された場合に、ステップＳ１０３において、第１所持者および第２所持者の両方が、同一階での降車を許可するか否かを判定する。
【００２２】
ステップＳ１０３において、第１所持者および第２所持者の両方が同一階での降車を許可すると判定された場合に、ステップＳ１０４において、エレベーターは、第１目的階移動工程を行う。
【００２３】
図５は図４の第１目的階移動工程を示すフローチャートである。第１目的階移動工程では、まず、ステップＳ２０１において、かご制御部５１は、かご１を目的階に移動させる。その後、かご１が目的階に到着した場合に、ステップＳ２０２において、それぞれの利用者が所持するそれぞれの携帯端末装置１０の携帯端末報知部１０２は、かご１の位置が降車階であることを利用者に報知する。なお、ステップＳ２０２では、かご位置表示装置９がかご１の位置を表示してもよい。以上により、第１目的階移動工程が終了する。
【００２４】
図４に示すように、ステップＳ１０３において、第１所持者および第２所持者の両方が同一階での降車を許可すると判定されなかった場合に、ステップＳ１０５において、第１所持者および第２所持者の両方が同一階での降車を拒否するか否かを判定する。
【００２５】
ステップＳ１０５において、第１所持者および第２所持者の両方が同一階での降車を拒否すると判定された場合に、ステップＳ１０６において、第１目的階外移動工程を行う。
【００２６】
図６は図４の第１目的階外移動工程を示すフローチャートである。第１目的階外移動工程では、まず、ステップＳ３０１において、かご制御部５１は、かご１を目的階とは異なる階に移動させる。その後、かご１が目的階とは異なる階に到着した場合に、ステップＳ３０２において、第１所持者および第２所持者の何れか一方の利用者が所持する携帯端末装置１０の携帯端末報知部１０２は、かご１の位置が降車階であることおよび降車階が目的階とは異なることを利用者に報知する。
【００２７】
第１所持者および第２所持者の何れか一方の利用者が降車した後、ステップＳ３０３において、かご制御部５１は、かご１を、現在の階と異なり、かつ、目的階とも異なる階に移動させる。その後、かご１が、現在の階と異なり、かつ、目的階とは異なる階に到着した場合に、ステップＳ３０４において、他方の利用者が所持する携帯端末装置１０の携帯端末報知部１０２は、かご１の位置が降車階であることおよび降車階が目的階とは異なることを利用者に報知する。なお、ステップＳ３０４では、かご位置表示装置９がかご１の位置を表示してもよい。以上により、第１目的階外移動工程が終了する。なお、第１目的階外移動工程では、ステップＳ３０３の後に、ステップＳ３０４を行わず、かご１を目的階に移動させ、その後、他方の利用者が所持する携帯端末装置１０の携帯端末報知部１０２が、かご１の位置が降車階であることを報知してもよい。
【００２８】
図４に示すように、ステップＳ１０５において、第１所持者および第２所持者の両方が同一階での降車を拒否すると判定されなかった場合に、第１所持者および第２所持者の何れか一方は、他の利用者と同一階で降車することを許可しているので、ステップＳ１０７において、第２目的階外移動工程を行う。
【００２９】
図７は図４の第２目的階外移動工程を示すフローチャートである。第２目的階外移動工程では、まず、ステップＳ４０１において、かご制御部５１は、かご１を目的階に移動させる。その後、かご１が目的階に到着した場合に、ステップＳ４０２において、同一階での降車を許可する利用者が所持する携帯端末装置１０の携帯端末報知部１０２は、かご１の位置が降車階であることを利用者に報知する。
【００３０】
同一階の降車を許可する利用者が降車した後、ステップＳ４０３において、かご制御部５１は、かご１を目的階とは異なる階に移動させる。その後、かご１が目的階とは異なる階に到着した場合に、ステップＳ４０４において、かご制御部５１は、再び、かご１を目的階に移動させる。かご１が目的階に到着した場合に、ステップＳ４０５において、同一階での降車を拒否する利用者が所持する携帯端末装置１０の携帯端末報知部１０２は、かご１の位置が降車階であることを利用者に報知する。なお、ステップＳ４０５においてかご１が目的階とは異なる階に移動している場合に、他の階の乗場釦６が操作され、エレベーター制御盤５に乗場呼びが登録された場合には、ステップＳ４０５が行われず、同一階での降車を拒否する利用者が所持する携帯端末装置１０の携帯端末報知部１０２は、かご１の位置が降車階であることおよび到着階が目的階とは異なることを利用者に報知してもよい。以上により、第２目的階外移動工程が終了する。
【００３１】
図４に示すように、ステップＳ１０２において、第１所持者の目的階と第２所持者の目的階とが同一ではないと判定された場合には、ステップＳ１０８において、第２目的階移動工程を行う。
【００３２】
図８は図４の第２目的階移動工程を示すフローチャートである。第２目的階移動工程では、まず、ステップＳ５０１において、かご制御部５１は、一方の利用者の目的階にかご１を移動させる。この例では、かご制御部５１は、第１所持者の目的階と第２所持者の目的階との中で基準階からの距離がより短い方の目的階にかご１を移動させる。その後、かご１が目的階に到着した場合に、ステップＳ５０２において、一方の利用者が所持する携帯端末装置１０の携帯端末報知部１０２は、かご１の位置が降車階であることを利用者に報知する。
【００３３】
かご１が到着した階で一方の利用者が降車した後、ステップＳ５０３において、かご制御部５１は、他方の利用者の目的階にかご１を移動させる。その後、かご１が目的階に到着した場合に、ステップＳ５０４において、他方の利用者が所持する携帯端末装置１０の携帯端末報知部１０２は、かご１の位置が降車階であることを利用者に報知する。なお、ステップＳ５０４では、かご位置表示装置９がかご１の位置を表示してもよい。以上により、第２目的階移動工程が終了する。
【００３４】
次に、携帯端末装置１０を所持する利用者である所持者と携帯端末装置１０を所持しない利用者である非所持者とが基準階である１階において乗車した場合におけるエレベーターの動作について説明する。図９は図１のエレベーターの動作を示すフローチャートである。
【００３５】
まず、ステップＳ６０１において、携帯端末装置１０からかご制御部５１に対して、特定情報が入力され、さらに、かご操作装置８から非所持者の目的階の情報が入力される。かご制御部５１に特定情報が入力されると、報知制御部５２は、乗場表示装置７の表示を停止する。
【００３６】
その後、ステップＳ６０２において、かご制御部５１は、入力された特定情報と、記憶部５３に記憶されている情報と、入力された非所持者の目的階の情報とを用いて、所持者の目的階と非所持者の目的階とが同一であるか否かを判定する。
【００３７】
ステップＳ６０２において、所持者の目的階と非所持者の目的階とが同一であると判定された場合に、ステップＳ６０３において、特定情報に対応する同一階降車拒否情報の有無に基づいて、所持者が同一階での降車を許可するか否かを判定する。
【００３８】
ステップＳ６０３において、所持者が同一階での降車を許可すると判定された場合に、ステップＳ６０４において、第３目的階移動工程を行う。
【００３９】
図１０は図９の第３目的階移動工程を示すフローチャートである。第３目的階移動工程では、まず、ステップＳ７０１において、かご制御部５１は、かご１を目的階に移動させる。その後、かご１が目的階に到着した場合に、ステップＳ７０２において、所持者が所持するそれぞれの携帯端末報知部１０２は、かご１の位置が降車階であることを利用者に報知し、かご位置表示装置９がかご１の位置を表示する。なお、ステップＳ７０２では、携帯端末装置１０の携帯端末報知部１０２は、かご１の位置が降車階であることを利用者に報知しなくてもよい。以上により、第３目的階移動工程が終了する。
【００４０】
図９に示すように、ステップＳ６０３において、所持者が同一階での降車を拒否すると判定された場合に、ステップＳ６０５において、第３目的階外移動工程を行う。
【００４１】
図１１は図９の第３目的階外移動工程を示すフローチャートである。第３目的階外移動工程では、まず、ステップＳ８０１において、かご制御部５１は、かご１を目的階に移動させる。その後、かご１が目的階に到着した場合に、ステップＳ８０２において、かご位置表示装置９がかご１の位置を表示する。これにより、かご１の位置が降車階であることが非所持者に報知される。
【００４２】
非所持者が降車した後、ステップＳ８０３において、かご制御部５１は、かご１を目的階とは異なる階に移動させる。その後、かご１が目的階とは異なる階に到着した場合に、ステップＳ８０４において、かご制御部５１は、再び、かご１を目的階に移動させる。かご１が目的階に到着した場合に、ステップＳ８０５において、携帯端末装置１０の携帯端末報知部１０２は、かご１の位置が降車階であることを利用者に報知する。なお、ステップＳ８０５においてかご１が目的階とは異なる階に移動している場合に、他の階の乗場釦６が操作され、エレベーター制御盤５に乗場呼びが登録された場合には、ステップＳ８０５が行われず、携帯端末報知部１０２は、かご１の位置が降車階であることおよび到着階が目的階とは異なることを利用者に報知してもよい。以上により、第３目的階外移動工程が終了する。
【００４３】
図９に示すように、ステップＳ６０２において、所持者の目的階と非所持者の目的階とが同一ではないと判定された場合には、ステップＳ６０６において、第４目的階移動工程を行う。
【００４４】
図１２は図９の第４目的階移動工程を示すフローチャートである。第４目的階移動工程では、まず、ステップＳ９０１において、かご制御部５１は、かご１を非所持者の目的階に移動させる。その後、かご１が目的階に到着した場合に、ステップＳ９０２において、かご位置表示装置９がかご１の位置を表示する。これにより、かご１の位置が降車階であることが非所持者に報知される。
【００４５】
非所持者がかご１から降車した後、ステップＳ９０３において、かご制御部５１は、かご１を所持者の目的階に移動させる。その後、かご１が目的階に到着した場合に、ステップＳ９０４において、携帯端末報知部１０２は、かご１の位置が降車階であることを利用者に報知する。なお、ステップＳ９０４では、かご位置表示装置９がかご１の位置を表示してもよい。以上により、第４目的階移動工程が終了する。
【００４６】
以上説明したように、この発明の実施の形態１に係るエレベーターによれば、かご制御部５１は、かご制御部５１に入力された複数の特定情報のそれぞれに対応する目的階が同一である場合に、目的階とは異なる複数の階を複数の特定情報のそれぞれに対応する降車階としてかご１を順に移動させ、複数の携帯端末装置１０のそれぞれは、対応する降車階にかご１が到着する場合に、かご１の位置が降車階である旨を報知するので、利用者の目的階が他の利用者に知られてしまうことをより確実に防止することができる。
【００４７】
また、携帯端末装置１０は、降車階が目的階と異なる場合に、降車階が目的階とは異なる旨を報知するので、利用者は、降車階が目的階とは異なることを知った上で、かご１から降車することができる。
【００４８】
また、このエレベーターは、他の利用者と同一階で降車することを拒否することを示す同一階降車拒否情報がそれぞれの特定情報に対応してかご制御部５１に入力可能となっており、かご制御部５１は、かご制御部５１に入力された複数の特定情報のそれぞれに対応する目的階が同一である場合であって、複数の特定情報の中の一部に対応して同一階降車拒否情報がかご制御部５１に入力された場合に、先に目的階にかご１を移動させ、その後、目的階とは異なる階にかご１を移動させるので、複数の利用者の中に他の利用者と同一階で降車することを許可する利用者がいる場合に、先に、その利用者を降車させることができる。
【００４９】
また、かご制御部５１は、かご制御部５１に入力された複数の特定情報のそれぞれに対応する目的階が同一である場合であって、複数の特定情報の中の全てに対応して同一階降車拒否情報がかご制御部５１に入力されなかった場合に、目的階にかご１を移動させるので、複数の利用者の全てが他の利用者と同一階で降車することを許可する場合に、全ての利用者を目的階で降車させることができる。
【００５０】
また、このエレベーターは、かご１に設けられ目的階を表示する目的階表示部８２と、目的階表示部８２の表示を制御する報知制御部５２とを備え、報知制御部５２は、複数の特定情報がかご制御部５１に入力された場合に、目的階表示部８２における目的階の表示を停止するので、利用者の目的階が他の利用者に知られてしまうことをより確実に防止することができる。
【００５１】
なお、上記実施の形態１では、２人の利用者が基準階である１階に乗車した場合について説明したが、３人以上の利用者が乗車した場合であっても同様である。
【符号の説明】
【００５２】
１  かご、２  つり合いおもり、３  ロープ、４  巻上機、５  エレベーター制御盤、６  乗場釦、７  乗場表示装置、８  かご操作装置、９  かご位置表示装置、１０  携帯端末装置、１１  無線通信装置、５１  かご制御部、５２  報知制御部、５３  記憶部、８１  目的階釦、８２  目的階表示部、１０１  特定情報出力部、１０２  携帯端末報知部。
【図１】
2018127292.tif 000003
【図２】
2018127292.tif 000004
【図３】
2018127292.tif 000005
【図４】
2018127292.tif 000006
【図５】
2018127292.tif 000007
【図６】
2018127292.tif 000008
【図７】
2018127292.tif 000009
【図８】
2018127292.tif 000010
【図９】
2018127292.tif 000011
【図１０】
2018127292.tif 000012
【図１１】
2018127292.tif 000013
【図１２】
2018127292.tif 000014